(57)【要約】      （修正有）【課題】逆Ｕ字形のフック状本体の前面の垂下部に設けた係合部にマスクの耳掛け紐を差し込んで取付けた上、逆Ｕ字形のフック状本体を耳の上部からはめ込んで吊下げることで、優れた装飾効果を有する耳掛け型マスク装着用ジュエリーを提供する。【解決手段】耳掛け型マスク装着用ジュエリー１０は、耳の上部に吊下げるほぼ逆Ｕ字形のフック状本体１１を備え、逆Ｕ字形のフック状本体１１の前面の垂下部１２にマスクの耳掛け紐を差し込んで取付ける係合部１３を設けることにより、逆Ｕ字形のフック状本体１１の前面の垂下部１２にマスクの耳掛け紐を差し込んで取付けた上、逆Ｕ字形のフック状本体１１を耳の上部からはめ込んで吊下げることにより、マスクの耳掛け紐が逆Ｕ字形のフック状本体１１に取り付けた装飾部分Ａを見えなくすることのないようにした。【選択図】図２
0003235446.tif 000002
【実用新案登録請求の範囲】
【請求項１】
耳の上部に吊下げるほぼ逆Ｕ字形のフック状本体を備え、
前記逆Ｕ字形のフック状本体の前面の垂下部にマスクの耳掛け紐を差し込んで取付ける係合部を設けることにより、
前記逆Ｕ字形のフック状本体の前面の垂下部にマスクの耳掛け紐を差し込んで取付けた上、前記逆Ｕ字形のフック状本体を耳の上部からはめ込んで吊下げることにより、
前記マスクの耳掛け紐が逆Ｕ字形のフック状本体に取り付けた装飾部分を見えなくすることのないようにしたことを特徴とする耳掛け型マスク装着用ジュエリー。
【請求項２】
前記逆Ｕ字形のフック状本体の前面の垂下部にはマスクの耳掛け紐を差し込んで取付ける係合部が、前記逆Ｕ字形のフック状本体の逆Ｕ字形の幅方向とは直角の向きに設けてあり、
前記逆Ｕ字形のフック状本体の前面の垂下部の適所にはさらに装飾部材が取り付けられていることを特徴とする請求項１に記載の耳掛け型マスク装着用ジュエリー。
【請求項３】
前記逆Ｕ字形のフック状本体の前面の垂下部にはマスクの耳掛け紐を差し込んで取付ける係合部が設けてあり、
前記マスクの耳掛け紐を差し込んで取付ける係合部が前記逆Ｕ字形のフック状本体の前面の垂下部の前面または側面に取り付けられていることを特徴とする請求項１または２に記載の耳掛け型マスク装着用ジュエリー。
【請求項４】
前記逆Ｕ字形のフック状本体の前面の垂下部以外の耳の上部から背面にかけての部分には、
軟質のチューブを被覆してあることを特徴とする請求項１ないし３のいずれかに記載の耳掛け型マスク装着用ジュエリー。
【考案の詳細な説明】
【技術分野】
【０００１】
本考案は、マスクの使用時にも耳飾り等の装飾部材を見やすくできるようにした耳掛け型マスク装着用ジュエリーに関するものである。
【背景技術】
【０００２】
従来の耳飾り等においては、マスクの使用時にはマスクの耳掛け紐が邪魔をして、耳飾り等の装飾部材を見やすくすることができるようにするには無理があった。
特に、耳たぶに取り付けるイヤリング・ピアス等が装飾部材を吊り下げた形態のような場合、マスクの耳掛け動作の邪魔となることも多く、あるいは、マスクの耳掛け動作を原因としてイヤリング・ピアス等の耳たぶからの脱落、イヤリング・ピアス等の装飾部材の一部の脱落・欠損等も起きてしまっていた。
さらに、昨今の感染症予防を目的としたマスクの装着がほぼ必須と言わざるを得ない社会的な事情にあっては、マスクの付け外しの頻度、イヤリング・ピアス等がマスクの耳掛け動作の邪魔となること、といった事情から、当然にマスクの装着を優先した結果、耳たぶにイヤリング・ピアス等を装着していることの不便さから、イヤリング・ピアス等の耳たぶへの装着を断念する者も増えている。
【０００３】
そこで、実用新案登録第３２２８７０８公報（特許文献１参照）のように、耳たぶに装着可能な耳装着部と、マスクの紐を取付可能なマスク取付部とからなり、該耳装着部と該マスク取付部とは磁石により着脱可能に結合することができることを特徴とするマスク保持具が提案されている。
しかしながら、耳装着部とマスク取付部とは磁石により着脱可能に結合するものであるため、磁石に装飾性を持たせることが難しく、また磁石部分において外れてしまうことが頻発してしまうことがあって、磁石を使用したマスク保持具が非常に使いづらいものとなってしまう。
【０００４】
特に、前記耳装着部がイヤリングやピアスと同じように耳たぶに取り付けて装着することができるものであるとしても、やはり耳装着部とマスク取付部とは磁石により着脱可能に結合するものであるため、当該部分の存在によって全体としてマスク保持具によって得られる装飾性には限界があると言わざるを得なかったものである。
【先行技術文献】
【特許文献】
【０００５】
【特許文献１】実用新案登録第３２２８７０８公報
【考案の概要】
【考案が解決しようとする課題】
【０００６】
そこで本考案は、逆Ｕ字形のフック状本体の前面の垂下部にマスクの耳掛け紐を差し込んで取付ける係合部を設けることにより、前記逆Ｕ字形のフック状本体の前面の垂下部にマスクの耳掛け紐を差し込んで取付けた上、前記逆Ｕ字形のフック状本体を耳の上部からはめ込んで吊下げて、前記マスクの耳掛け紐が逆Ｕ字形のフック状本体に取り付けた装飾部分を見えなくすることのないようにした、優れた装飾効果を有する耳掛け型マスク装着用ジュエリーを提供するものである。
【課題を解決するための手段】
【０００７】
すなわち本考案の耳掛け型マスク装着用ジュエリーは、耳の上部に吊下げるほぼ逆Ｕ字形のフック状本体を備え、前記逆Ｕ字形のフック状本体の前面の垂下部にマスクの耳掛け紐を差し込んで取付ける係合部を設けることにより、前記逆Ｕ字形のフック状本体の前面の垂下部にマスクの耳掛け紐を差し込んで取付けた上、前記逆Ｕ字形のフック状本体を耳の上部からはめ込んで吊下げることにより、前記マスクの耳掛け紐が逆Ｕ字形のフック状本体に取り付けた装飾部分を見えなくすることのないようにしたことを特徴とするものである。
【０００８】
本考案の耳掛け型マスク装着用ジュエリーにおいて、前記逆Ｕ字形のフック状本体の前面の垂下部にはマスクの耳掛け紐を差し込んで取付ける係合部が、前記逆Ｕ字形のフック状本体の逆Ｕ字形の幅方向とは直角の向きに設けてあり、前記逆Ｕ字形のフック状本体の前面の垂下部の適所にはさらに装飾部材が取り付けられていることをも特徴とするものである。
【０００９】
本考案の耳掛け型マスク装着用ジュエリーにおいて、前記逆Ｕ字形のフック状本体の前面の垂下部にはマスクの耳掛け紐を差し込んで取付ける係合部が設けてあり、前記マスクの耳掛け紐を差し込んで取付ける係合部が前記逆Ｕ字形のフック状本体の前面の垂下部の前面または側面に取り付けられていることをも特徴とするものである。
【００１０】
本考案の耳掛け型マスク装着用ジュエリーにおいて、前記逆Ｕ字形のフック状本体の前面の垂下部以外の耳の上部から背面にかけての部分には、軟質のチューブを被覆してあることをも特徴とするものである。
【考案の効果】
【００１１】
以上のように、本考案の耳掛け型マスク装着用ジュエリーは、逆Ｕ字形のフック状本体の前面の垂下部にマスクの耳掛け紐を差し込んで取付ける係合部を設けてあり、マスクの耳掛け紐が逆Ｕ字形のフック状本体に取り付けた装飾部分を見えなくすることのないようにした、優れた装飾効果を有する耳掛け型マスク装着用ジュエリーを提供することができるようにしたものである。
また、逆Ｕ字形のフック状本体の前面の垂下部にマスクの耳掛け紐を差し込んで取付ける係合部を設けてあるため、前記逆Ｕ字形のフック状本体の前面の垂下部に設けた係合部に非常に堅実にマスクの耳掛け紐を取付けることができ、マスクの耳掛け紐が頻繁に係合部から外れてしまうという問題もまったく生じないのである。
【図面の簡単な説明】
【００１２】
【図１】本考案の耳掛け型マスク装着用ジュエリーの第１実施例を示し、その概略斜視図である。
【図２】さらに耳の上部から背面にかけての部分に軟質のチューブを被覆した状態の概略斜視図である。
【図３】本考案の耳掛け型マスク装着用ジュエリーにマスクの耳掛け紐を取り付けて、マスクを装着した状態の概略斜視図である。
【図４】本考案の耳掛け型マスク装着用ジュエリーの第２実施例を示し、その概略斜視図である。
【図５】さらに耳の上部から背面にかけての部分に軟質のチューブを被覆した状態の概略斜視図である。
【図６】本考案の耳掛け型マスク装着用ジュエリーにマスクの耳掛け紐を取り付けて、マスクを装着した状態の概略斜視図である。
【考案を実施するための形態】
【００１３】
以下本考案の耳掛け型マスク装着用ジュエリーを図面に基いて詳細に説明する。
図１ないし図３は、本考案の耳掛け型マスク装着用ジュエリーの第１実施例を示すものである。図１において、本実施例の耳掛け型マスク装着用ジュエリー１０は、逆Ｕ字形のフック状本体１１の前面の垂下部１２にマスク２１の耳掛け紐２２を差し込んで取付ける係合部１３を設けることにより、前記逆Ｕ字形のフック状本体１１の前面の垂下部１２にマスク２１の耳掛け紐２２を差し込んで取付けた上、前記逆Ｕ字形のフック状本体１１を耳の上部からはめ込んで吊下げ、前記マスク２１の耳掛け紐２２が逆Ｕ字形のフック状本体１１に取り付けた装飾部分Ａを見えなくすることのないようにしている。
もちろん、先に前記逆Ｕ字形のフック状本体１１を耳の上部からはめ込んで吊下げた上、前記逆Ｕ字形のフック状本体１１の前面の垂下部１２にマスク２１の耳掛け紐２２を差し込んで取付けることで、前記マスク２１の耳掛け紐２２が逆Ｕ字形のフック状本体１１に取り付けた装飾部分Ａを見えなくすることのないようにしてもよい。
【００１４】
また、図２に示すように、前記逆Ｕ字形のフック状本体１１の前面の垂下部１２以外の耳の上部から背面にかけての部分１１ａには、シリコンゴム等からなる軟質のチューブ１４が被覆させることもできる。このようにすることで、前記逆Ｕ字形のフック状本体１１の前面の垂下部１２以外の耳の上部から背面にかけての部分１１ａが耳に接触した場合、装着した使用者が痛みを感じることはなく、長期間にわたって無理なく使用することができるのである。
【００１５】
以上のように、前記逆Ｕ字形のフック状本体１１の前面の垂下部１２には、マスク２１の耳掛け紐２２を差し込んで取付ける係合部１３を設けてある。したがって図３に示すように、耳の前部の目立たない位置にマスク２１の耳掛け紐２２を差し込んで取付ける係合部１３が配置されることとなり、ほとんどその装飾性を損なうことのない耳掛け型マスク装着用ジュエリー１０が提供できるようになったのである。
加えて、本実施例の耳掛け型マスク装着用ジュエリー１０は、耳に前記マスク２１の耳掛け紐２２を係合させる必要がないため、前記マスク２１の付け外しに際して耳への負担がなく、容易に前記マスク２１の付け外しを行うことができる。さらに、前記マスク２１の耳掛け紐２２を耳たぶに係合させる必要がないことから、前記マスク２１の付け外しに際して、耳たぶに取り付けたイヤリング・ピアス等の脱落や、イヤリング・ピアス等の装飾部材の一部の脱落・欠損等が起こることがなく、着用者はマスクのことを気にすることなく、自らの好みに応じて耳たぶに取り付けるイヤリング・ピアス等の形態を自由に選択して着用することができるのである。
【００１６】
そして、前記逆Ｕ字形のフック状本体１１の前面の垂下部１２の適所、例えば垂下部１２の前面または側面にはさらに適宜モチーフの装飾部材１５（装飾部分Ａ）が取り付けられている。このように前記逆Ｕ字形のフック状本体１１の前面の垂下部１２の適所に装飾部材１５を装着することより、本考案の耳掛け型マスク装着用ジュエリー１０の付加価値がより高まるのである。
【００１７】
さらに本実施例における耳掛け型マスク装着用ジュエリー１０は、前記逆Ｕ字形のフック状本体１１の前面の垂下部１２にマスク２１の耳掛け紐２２を差し込んで取付ける係合部１３が設けてあり、前記マスク２１の耳掛け紐２２を差し込んで取付ける前記係合部１３は前記逆Ｕ字形のフック状本体１１の前面の垂下部１２の前面または側面に取り付けられている。
したがって、前記マスク２１の耳掛け紐２２が前記装飾部材１５の視認性を阻害することがなく、耳掛け型マスク装着用ジュエリー１０の装飾性をほとんど損なわずに、本考案の耳掛け型マスク装着用ジュエリー１０の前記係合部１３にマスク２１の耳掛け紐２２を取り付けることができるのである。
【００１８】
次に図４ないし図６は、本考案の耳掛け型マスク装着用ジュエリーの第２実施例を示すものである。図４において、本実施例の耳掛け型マスク装着用ジュエリー３０は、逆Ｕ字形のフック状本体３１の前面の垂下部３２にマスク４１の耳掛け紐４２を差し込んで取付ける係合部３３を設けることにより、前記逆Ｕ字形のフック状本体３１の前面の垂下部３２にマスク４１の耳掛け紐４２を差し込んで取付けた上、前記逆Ｕ字形のフック状本体３１を耳の上部からはめ込んで吊下げ、前記マスク４１の耳掛け紐４２が逆Ｕ字形のフック状本体３１に取り付けた装飾部分Ｂを見えなくすることのないようにしている。
もちろん、先に前記逆Ｕ字形のフック状本体３１を耳の上部からはめ込んで吊下げた上、前記逆Ｕ字形のフック状本体３１の前面の垂下部３２にマスク４１の耳掛け紐４２を差し込んで取付けることで、前記マスク４１の耳掛け紐４２が逆Ｕ字形のフック状本体３１に取り付けた装飾部分Ｂを見えなくすることのないようにしてもよい。
【００１９】
そして図５に示すように、前記逆Ｕ字形のフック状本体３１の前面の垂下部３２以外の耳の上部から背面にかけての部分３１ａには、シリコンゴム等からなる軟質のチューブ３４を被覆させることもできる。したがって、前記逆Ｕ字形のフック状本体３１の前面の垂下部３２以外の耳の上部から背面にかけての部分３１ａが耳に接触した場合、装着した使用者が痛みを感じることはなく、長期間にわたって無理なく使用することができるのである。
【００２０】
以上のように、前記逆Ｕ字形のフック状本体３１の前面の垂下部３２には、マスク４１の耳掛け紐４２を差し込んで取付ける係合部３３を設けてある。したがって図６に示すように、耳の前部の目立たない位置にマスク４１の耳掛け紐４２を差し込んで取付ける係合部３３が配置されることとなり、ほとんどその装飾性を損なうことのない耳掛け型マスク装着用ジュエリー３０が提供できるようになったのである。
加えて、本実施例の耳掛け型マスク装着用ジュエリー３０は、耳に前記マスク４１の耳掛け紐４２を係合させる必要がないため、前記マスク４１の付け外しに際して耳への負担がなく、容易に前記マスク４１の付け外しを行うことができる。さらに、前記マスク４１の耳掛け紐４２を耳たぶに係合させる必要がないことから、前記マスク４１の付け外しに際して、耳たぶに取り付けたイヤリング・ピアス等の脱落や、イヤリング・ピアス等の装飾部材の一部の脱落・欠損等が起こることがなく、着用者はマスクのことを気にすることなく、自らの好みに応じて耳たぶに取り付けるイヤリング・ピアス等の形態を自由に選択して着用することができるのである。
【００２１】
そして、前記逆Ｕ字形のフック状本体３１の前面の垂下部３２の適所、例えば垂下部３２の前面または側面にはさらに適宜モチーフの装飾部材３５（装飾部分Ｂ）が取り付けられている。このように前記逆Ｕ字形のフック状本体３１の前面の垂下部３２の適所に装飾部材３５を装着することより、本考案の耳掛け型マスク装着用ジュエリー３０の付加価値がより高まるのである。
この実施例においては、前記装飾部分Ｂはリボンを模した装飾部材３５となっている。
【００２２】
さらに本実施例における耳掛け型マスク装着用ジュエリー３０は、前記逆Ｕ字形のフック状本体３１の前面の垂下部３２にマスク４１の耳掛け紐４２を差し込んで取付ける係合部３３が設けてあり、前記マスク４１の耳掛け紐４２を差し込んで取付ける前記係合部３３は前記逆Ｕ字形のフック状本体３１の前面の垂下部３２の前面または側面に取り付けられている。
したがって、前記マスク４１の耳掛け紐４２が前記装飾部材３５の視認性を阻害することがなく、耳掛け型マスク装着用ジュエリー３０の装飾性をほとんど損なわずに、本考案の耳掛け型マスク装着用ジュエリー３０の前記係合部３３にマスク４１の耳掛け紐４２を取り付けることができるのである。
【００２３】
本考案の耳掛け型マスク装着用ジュエリーは、以上のように構成したので、次の効果を奏することができる。
（１）マスクの耳掛け紐が逆Ｕ字形のフック状本体に取り付けた装飾部分を見えなくすることのないようにすることで優れた装飾効果を発揮することができる
（２）マスクの耳掛け紐を耳たぶに係合させる必要がないため、マスクの付け外しに際して耳への負担がなく、容易にマスクの付け外しを行うことができる。
（３）マスクの耳掛け紐を耳たぶに係合させる必要がないため、着用者はマスクのことを気にすることなく、自らの好みに応じて耳たぶに取り付けるイヤリング・ピアス等の形態を自由に選択することができる。
（４）マスクの付け外しに際して、耳たぶに取り付けたイヤリング・ピアス等の脱落や、イヤリング・ピアス等の装飾部材の一部の脱落・欠損等が起こることもない。
【産業上の利用可能性】
【００２４】
本考案の耳掛け型マスク装着用ジュエリー１０，３０は、非常にシンプルな形状の逆Ｕ字形のフック状本体１１，３１を用いており、該逆Ｕ字形のフック状本体１１，３１を金や銀、プラチナ等の貴金属で作成することにより、より装飾性に富む耳掛け型マスク装着用ジュエリー１０，３０とすることができる。
【符号の説明】
【００２５】
１０  耳掛け型マスク装着用ジュエリー
１１  逆Ｕ字形のフック状本体
１１ａ  耳の上部から背面にかけての部分
１２  垂下部
１３  係合部
１４  軟質のチューブ
１５  装飾部材
２１  マスク
２２  耳掛け紐
Ａ  装飾部分
３０  耳掛け型マスク装着用ジュエリー
３１  逆Ｕ字形のフック状本体
３１ａ  耳の上部から背面にかけての部分
３２  垂下部
３３  係合部
３４  軟質のチューブ
３５  装飾部材
４１  マスク
４２  耳掛け紐
Ｂ  装飾部分
【図１】
0003235446.tif 000003
【図２】
0003235446.tif 000004
【図３】
0003235446.tif 000005
【図４】
0003235446.tif 000006
【図５】
0003235446.tif 000007
【図６】
0003235446.tif 000008